【手続補正書】
【提出日】平成19年1月10日(2007.1.10)
【手続補正１】
【補正対象書類名】特許請求の範囲
【補正対象項目名】全文
【補正方法】変更
【補正の内容】
【特許請求の範囲】
【請求項１】
６０個の第１１の発光素子のうち、１個の第１１の発光素子が秒すなわち第１１の色として順に発光し、６０個の第１２の発光素子のうち、１個の第１２の発光素子が分すなわち第１２の色として順に発光し、６０個又は７２個の第１３の発光素子のうち、１個の第１３の発光素子が１／５時又は１／６時すなわち第１３の色として順に発光することを特徴とする時計。
【請求項２】
請求項１において、前記第１１の発光素子は、第１１の発光ダイオードであり、前記第１２の発光素子は、第１２の発光ダイオードであり、前記第１３の発光素子は、第１３の発光ダイオードであって、前記第１１の色は青であり、前記第１２の色は緑であり、前記第１３の色は赤であることを特徴とする時計。
【請求項３】
６０個の第２１の発光素子のうち、２個の第２１の発光素子が秒すなわち第２１の色、及び分すなわち第２２の色、あるいは１個の第２１の発光素子が秒及び分すなわち第２４の色として順に発光し、１２個、６０個又は７２個の第２２の発光素子のうち、１個の第２２の発光素子が時、１／５時又は１／６時すなわち第２３の色として順に発光することを特徴とする時計。
【請求項４】
請求項３において、前記第２１の発光素子は、第２１の発光ダイオードであり、前記第２２の発光素子は、第２２の発光ダイオードであって、前記第２１の色は青であり、前記第２２の色は緑であり、前記第２３の色は赤であり、前記第２４の色は青緑であることを特徴とする時計。
【請求項５】
６０個の第３の発光素子のうち、３個の第３の発光素子が秒すなわち第３１の色、分すなわち第３２の色、及び１／５時すなわち第３３の色、もしくは２個の第３の発光素子が秒及び分すなわち第３４の色ならびに１／５時すなわち第３３の色、分及び１／５時すなわち第３５の色ならびに秒すなわち第３１の色、あるいは１／５時及び秒すなわち第３６の色ならびに分すなわち第３２の色、もしくは１個の第３の発光素子が秒、分及び１／５時すなわち第３７の色として順に発光することを特徴とする時計。
【請求項６】
請求項５において、前記第３の発光素子は、第３の発光ダイオードであって、前記第３１の色は青であり、前記第３２の色は緑であり、前記第３３の色は赤であり、前記第３４の色は青緑であり、前記第３５の色は黄であり、前記第３６の色は赤紫であり、前記第３７の色は白であることを特徴とする時計。
【請求項７】
請求項１、請求項３、請求項５のいずれかにおいて、第１１の発光カバー、第１２の発光カバー及び第１３の発光カバー、又は第２１の発光カバー及び第２２の発光カバー、又は第３の発光カバーは、前記第１１の発光ダイオード、前記第１２の発光ダイオード及び前記第１３の発光ダイオード、又は前記第２１の発光ダイオード及び前記第２２の発光ダイオード、又は前記第３の発光ダイオードとほぼ同じ所で、同じ位置だけ存在し、かつ各１個が、正面の無色透明の凸レンズ型で、側面及び下面などが遮断されたように囲まれることを特徴とする時計。
【請求項８】
請求項１、請求項３、請求項５のいずれかにおいて、秒、分及び時の液晶などを含むことを特徴とする時計。
【請求項９】
請求項１、請求項３、請求項５のいずれかにおいて、腕時計、目覚し時計、掛け時計又は置き時計などであることを特徴とする時計。
【手続補正２】
【補正対象書類名】明細書
【補正対象項目名】全文
【補正方法】変更
【補正の内容】
【発明の詳細な説明】
【発明の名称】発光ダイオードを用いた時計
【技術分野】
【０００１】  この発明は時計に関するもので、さらに詳しくは、発光ダイオードなどを用いた時計に係るものである。
【背景技術】
【０００２】  発光ダイオード時計などの時計が、例えば、特開２０００−２３０９９０号公報に示されているように、知られるようになった。発光ダイオード時計などは、時を示すための円形に並べられた１２個の時表示用発光ダイオードと、分を示すための円形に並べられた６０個の分表示用発光ダイオードと、秒を示すための円形に並べられた６０個の秒表示用発光ダイオードとを備えている。【０００３】
【特許文献１】特開２０００−２３０９９０公報
【発明の開示】
【発明が解決しようとする課題】
【０００４】  しかし、発光ダイオード時計などは、１２個すなわち１２時、６０個すなわち６０分及び６０個すなわち６０秒に各々固定され、そのものも遣り難い。また、狭い場所も多く、身動きも出来なくなり、腕時計などでは小さくなってしまうし、デザインも、色はそれほど多くないが、単一の発光ダイオードで色を表現しているため、限られたものになってしまう問題点がある。【０００５】  この発明の目的は、発光ダイオードなどを用いた時計に提供することを目的としている。
【課題を解決するための手段】
【０００６】  本願において開示される発明のうち代表的なものの概要を簡単に説明すれば、次の通りである。すなわち、腕時計、目覚し時計などのような時計において、６０個の第１１の発光ダイオードのうち、１個の第１１の発光ダイオードが秒すなわち青として順に発光し、６０個の第１２の発光ダイオードのうち、１個の第１２の発光ダイオードが分すなわち緑として順に発光し、６０個又は７２個の第１３の発光ダイオードのうち、１個の第１３の発光ダイオードが１／５時又は１／６時すなわち赤として順に発光する。【０００７】また、６０個の第２１の発光ダイオードのうち、２個の第２１の発光ダイオードが秒すなわち青及び分すなわち緑、あるいは１個の第２１の発光ダイオードが秒及び分すなわち青緑として順に発光し、１２個、６０個又は７２個の第２２の発光ダイオードのうち、１個の第２２の発光ダイオードが時、１／５時又は１／６時すなわち赤として順に発光する。【０００８】さらに、６０個の第３の発光ダイオードのうち、３個の第３の発光ダイオードが秒すなわち青、分すなわち緑及び１／５時すなわち赤、もしくは２個の第３の発光ダイオードが秒及び分すなわち青緑ならびに１／５時すなわち赤、分及び１／５時すなわち黄ならびに秒すなわち青、あるいは１／５時及び秒すなわち赤紫ならびに分すなわち緑、もしくは１個の第３の発光ダイオードが秒、分及び１／５時すなわち白として順に発光する。
【発明の効果】
【０００９】  上記した手段によれば、３つの発光ダイオードと青、緑及び赤などで、又は２つの発光ダイオードと青、緑及び青緑ならびに赤などで、又は１つの発光ダイオードと青、緑、赤、青緑、黄、赤紫及び白などですることで、簡単にしかも分かりやすい時計を実現できる他、腕時計及び目覚し時計などにも使用可能である。
【発明を実施するための最良の形態】
【００１０】  図１、図２又は図３は、この発明が適用された時計の実施例１−１、実施例１−２又は実施例１−３の外観構造図が示されている。また、図４、図５又は図６は、この発明が適用された時計の実施例２−１、実施例２−２又は実施例２−３の外観構造図が示され、図７、図８又は図９は、この発明が適用された時計の実施例３−１、実施例３−２又は実施例３−３の外観構造図が示されている。図１から図９まで順に、この発明が適用された時計の実施例１−１ないし実施例３−３の外観構造及び操作方法の概要について説明する。【００１１】  なお、外観構造に関する以下の記述では、図１ないし図９すなわち実施例１−１ないし実施例３−３の位置関係をもって時計の上下左右を表す。また、時計は、腕時計、目覚し時計などと呼ばれ、腕時計Ａ、腕時計Ｂ、目覚し時計Ｃ、腕時計Ｄ、腕時計Ｅ、目覚し時計Ｆ、腕時計Ｇ、目覚し時計Ｈ及び腕時計Ｉまで分かるようになっている。さらに、発光カバー、発光ダイオード（ＬＥＤ）などや、ベルト具、竜頭巻、穴、スイッチ、台、年用液晶、月日用液晶、時分秒用液晶も、必要に応じて別れている。太陽電池（ソーラーセル）や二次電池、集積回路（ＩＣ）、文字盤、風防ガラスなどの他、時計には多くの見えないものがあるが、直接関係はないので削除した。【００１２】実施例１−１  図１ないし図３において、この実施例１−１ないし実施例１−３の時計は、腕時計Ａ、腕時計Ｂ及び目覚し時計Ｃとして呼ばれているもので、１番目から３番目まで順に説明して行こう。【００１３】  図１において、この実施例１−１の時計は、特にその大きさに制限されないが、やや大きめに描いてある。【００１４】  図１において、ベルト具ａ０及びベルト具ａ１には、図示していないベルトなどを介して、腕時計Ａと繋がっている。また、竜頭巻ａ２は、１段階ないし３段階を選択することができる。後で説明しよう。穴ａ３には、何もなく空洞である。なお、穴ａ３は、空洞に変って、宝石などを埋め込んでも良い。【００１５】  次に、時刻用発光ダイオードａ４００、ａ４０２ないしａ４１０は、６個からなり、最も円形の内側にある。そのうち、０時すなわち１２時で赤を基本とし、６時で緑、２時及び４時ならびに８時及び１０時で青となる。【００１６】  一方、秒を表す表示用発光ダイオード（第１１の発光素子すなわち第１１の発光ダイオード）ａ５００〜ａ５５９で、２番目の円形の内側にあり、その構造は、青（第１１の色）を基本にする６０個とを含む。その結果、表示用発光ダイオードａ５００〜ａ５５９すなわち青は、１個すなわち１秒ずつ１回進み、６０個すなわち６０秒ずつ元に戻って、いわゆる「秒」と言われる所以を持つ。【００１７】  また、分を表す表示用発光ダイオード（第１２の発光素子すなわち第１２の発光ダイオード）ａ６００〜ａ６５９で、３番目の円形の内側にあり、その構造は、緑（第１２の色）を基本にする６０個とを含む。その結果、表示用発光ダイオードａ６００〜ａ６５９すなわち緑は、１個すなわち１分、すなわち６０秒ずつ１回進み、６０個すなわち６０分、すなわち６０×６０秒ずつ元に戻って、いわゆる「分」と言われる所以を持つ。【００１８】  さらに、時を表す表示用発光ダイオード（第���３の発光素子すなわち第１３の発光ダイオード）ａ７００〜ａ７５９で、最も円形の外側にあり、その構造は、赤（第１３の色）を基本にする６０個とを含む。その結果、表示用発光ダイオードａ７００〜ａ７５９すなわち赤は、１個すなわち１／５時、つまり（１／５）×６０分、すなわち（１／５）×６０×６０秒ずつ１回進み、６０個すなわち６０×（１／５）時、つまり６０×（１／５）×６０分、すなわち６０×（１／５）×６０×６０秒ずつ元に戻って、いわゆる「時」と言われる所以を持つ。【００１９】  なお、表示用発光ダイオードａ５００〜ａ５５９、表示用発光ダイオードａ６００〜ａ６５９及び表示用発光ダイオードａ７００〜ａ７５９、すなわち青、緑及び赤の各６０個は、「３０秒」、「１０分」及び「１０時」、つまり「１０時１０分３０秒」を例に表現して見た。この場合、「１０時１０分３０秒」が、実施例１−１から実施例３−３まで続き、さらに最後の実施例３−３では、「午前」又は「午後」の例もあるので、よく注意して欲しい。【００２０】  ところで、時刻用発光ダイオードａ４００、ａ４０２ないしａ４１０は、６個すなわち赤の０時、緑の６時、青の２時及び４時ならびに８時及び１０時であって、常に光を点している。また、表示用発光ダイオードａ５００〜ａ５５９、表示用発光ダイオードａ６００〜ａ６５９及び表示用発光ダイオードａ７００〜ａ７５９の各６０個のうち、秒、分及び１／５時の各１個、合計３個のみが青、緑及び赤に変る。【００２１】  一方、表示用発光ダイオードａ５００〜ａ５５９すなわち青、表示用発光ダイオードａ６００〜ａ６５９すなわち緑、又は表示用発光ダイオードａ７００〜ａ７５９すなわち赤が少し時間に合わせたいか、逆に大きく時間が狂っている場合、まず表示用発光ダイオードａ５００〜ａ５５９から調整し、順に表示用発光ダイオードａ６００〜ａ６５９及び表示用発光ダイオードａ７００〜ａ７５９に調整することが可能である。この場合、竜頭巻ａ２が、１段階が発光ダイオードａ５００〜ａ５５９に変り、２段階が発光ダイオードａ６００〜ａ６５９に変り、３段階が発光ダイオードａ７００〜ａ７５９に変る。【００２２】実施例１−２  図２において、この実施例１−２の時計は、特にその大きさに制限されないが、やや大きめに描かれている。【００２３】  ベルト具ｂ０及びベルト具ｂ１には、見えないベルトなどを介して、腕時計Ｂと繋がっている。また、竜頭巻ｂ２は、１段階ないし３段階を選択することができる。穴ｂ３には、何もなく空洞である。【００２４】次に、時刻用発光ダイオードｂ４００、ｂ４０２ないしｂ４１０は、６個からなり、最も円形の内側にある。そのうち、０時すなわち１２時で赤を基本とし、６時で緑、２時及び４時ならびに８時及び１０時で青となる。この結果、半永久的な発光ダイオードｂ４００、ｂ４０２ないしｂ４１０が得られる。【００２５】  一方、表示用発光カバー（第１１の発光カバー）ｂ６００〜ｂ６５９、表示用発光カバー（第１２の発光カバー）ｂ８００〜ｂ８５９、及び表示用発光カバー（第１３の発光カバー）ｂＡ００〜ｂＡ５９は、１式からなり、この実像には見えないが、６０個、すなわち秒の表示用発光ダイオード（第１１の発光素子すなわち���１１の発光ダイオード）ｂ５００〜ｂ５５９、６０個、すなわち分の表示用発光ダイオード（第１２の発光素子すなわち第１２の発光ダイオード）ｂ７００〜ｂ７５９、及び６０個、すなわち時の表示用発光ダイオード（第１３の発光素子すなわち第１３の発光ダイオード）ｂ９００〜ｂ９５９を持つ。また、表示用発光カバーｂ６００〜ｂ６５９と表示用発光ダイオードｂ５００〜ｂ５５９、表示用発光カバーｂ８００〜ｂ８５９と表示用発光ダイオードｂ７００〜ｂ７５９、及び表示用発光カバーｂＡ００〜ｂＡ５９と表示用発光ダイオードｂ９００〜ｂ９５９は、時刻用発光ダイオードｂ４００、ｂ４０２ないしｂ４１０と１８０度違うことになる。【００２６】  表示用発光カバーｂ６００〜ｂ６５９、表示用発光カバーｂ８００〜ｂ８５９及び及び表示用発光カバーｂＡ００〜ｂＡ５９は、発光ダイオード各１個が１枚又は数枚の凸レンズ効果によって、光を調整し、眩しさを制限してくれる。【００２７】  秒を表す表示用発光ダイオードｂ５００〜ｂ５５９で、２番目の円形の内側にあり、その構造は、青（第１１の色）を基本にする６０個とを含む。その結果、表示用発光ダイオードｂ５００〜ｂ５５９すなわち青は、１個すなわち１秒ずつ１回進み、６０個すなわち６０秒ずつ元に戻って、いわゆる「秒」と言われる所以を持つ。【００２８】  分を表す表示用発光ダイオードｂ７００〜ｂ７５９で、３番目の円形の内側にあり、その構造は、緑（第１２の色）を基本にする６０個とを含む。その結果、表示用発光ダイオードｂ７００〜ｂ７５９すなわち緑は、１個すなわち１分、すなわち６０秒ずつ１回進み、６０個すなわち６０分、すなわち６０×６０秒ずつ元に戻って、いわゆる「分」と言われる所以を持つ。【００２９】  さらに、時を表す表示用発光ダイオードｂ９００〜ｂ９５９で、最も円形の外側にあり、その構造は、赤（第１３の色）を基本にする６０個とを含む。その結果、表示用発光ダイオードｂ９００〜ｂ９５９すなわち赤は、１個すなわち１／５時、つまり（１／５）×６０「分」、すなわち（１／５）×６０×６０秒ずつ１回進み、６０個すなわち６０×（１／５）時、つまり６０×（１／５）×６０分、すなわち６０×（１／５）×６０×６０秒ずつ元に戻って、いわゆる「時」と言われる所以を持つ。【００３０】  なお、表示用発光カバーｂ６００〜ｂ６５９、表示用発光カバーｂ８００〜ｂ８５９及び表示用発光カバーｂＡ００〜ｂＡ５９、つまり表示用発光ダイオードｂ５００〜ｂ５５９、表示用発光ダイオードｂ７００〜ｂ７５９、及び表示用発光ダイオードｂ９００〜ｂ９５９、すなわち青、緑及び赤の各６０個は、「３０秒」、「１０分」及び「１０時」、つまり「１０時１０分３０秒」を例に表現して見た。【００３１】  ところで、時刻用発光ダイオードｂ４００、ｂ４０２ないしｂ４１０は、６個すなわち赤の０時、緑の６時、青の２時及び４時ならびに８時及び１０時であって、常に光を点している。また、表示用発光カバーｂ６００〜ｂ６５９、表示用発光カバーｂ８００〜ｂ８５９及び表示用発光カバーｂＡ００〜ｂＡ５９、すなわち表示用発光ダイオードｂ５００〜ｂ５５９、表示用発光ダイオードｂ７００〜ｂ７５９及び表示用発光ダイオードｂ９００〜ｂ９��９の各６０個のうち、秒、分及び１／５時の各１個、合計３個のみが青、緑及び赤に変る。【００３２】  一方、表示用発光カバーｂ６００〜ｂ６５９と表示用発光ダイオードｂ５００〜ｂ５５９すなわち青、表示用発光カバーｂ８００〜ｂ８５９と表示用発光ダイオードｂ７００〜ｂ７５９すなわち緑、又は表示用発光カバーｂＡ００〜ｂＡ５９と表示用発光ダイオードｂ９００〜ｂ９５９すなわち赤が少し時間に合わせたいか、逆に大きく時間が狂っている場合、まず表示用発光ダイオードｂ５００〜ｂ５５９から調整し、順に表示用発光ダイオードｂ７００〜ｂ７５９及び表示用発光ダイオードｂ９００〜ｂ９５９に調整することが可能である。この場合、竜頭巻ｂ２が、１段階が表示用発光ダイオードｂ５００〜ｂ５５９に変り、２段階が表示用発光ダイオードｂ７００〜ｂ７５９に変り、３段階が表示用発光ダイオードｂ９００〜ｂ９５９に変る。【００３３】実施例１−３  図３において、この実施例１−３の時計は、特にその大きさに制限されないが、やや大きめに描かれている。【００３４】  スイッチｃ０は、何もしない時、２ミリ程度を基本にオフ状態とされ、全く機能しない。しかし、スイッチｃ０が、４ミリ程度を基本にオン状態とされると、他の機能と関係して、色々な種類を持つ。後ほど具体的に述べよう。台ｃ１及び台ｃ２は、単に下側の関係を持つ。【００３５】  次に、時刻用発光カバーｃ４００〜ｃ４１１は、１式からなり、この実際には見えないが、１２個、すなわち時刻用発光ダイオードｃ３００〜ｃ３１１を持って、最も円形の外側にある。そのうち、０時で赤を基本とし、６時で緑、１時、２時、３時、４時及び５時ならびに７時、８時、９時、１０時及び１１時で青となる。その結果、半永久的な時刻用発光カバーｃ４００〜ｃ４１１すなわち時刻用発光ダイオードｃ３００〜ｃ３１１が得られる。【００３６】  なお、特に制限されないが、時刻用発光ダイオードｃ３００〜ｃ３１１のうち、０時つまり赤は１個で合計４個ずつとし、ｌ時から１１時つまり緑及び青は各１個で２個ずつ、合計２２個とする。しかし、この場合、時刻用発光ダイオードｃ３００〜ｃ３１１は１個ずつ、合計１２個であるため、各時の呼び名は０時から１１時で良い。【００３７】  一方、表示用発光カバー（第１の発光カバー）ｃ６００〜ｃ６５９及び表示用発光カバーｃ８００〜ｃ８５９は、１式からなり、この実像には見えないが、６０個、すなわち秒の表示用発光ダイオード（第１１の発光素子すなわち第１１の発光ダイオード）ｃ５００〜ｃ５５９、及び６０個、すなわち分の表示用発光ダイオード（第１２の発光素子すなわち第１２の発光ダイオード）ｃ７００〜ｂ７５９を持つ。表示用発光カバーｃ６００〜ｃ６５９と表示用発光ダイオードｃ５００〜ｃ５５９、及び表示用発光カバーｃ８００〜ｃ８５９と表示用発光ダイオードｃ７００〜ｃ７５９とは、時刻用発光カバーｃ４００〜ｃ４１１と時刻用発光ダイオードｃ３００〜ｃ３１１と１８０度違うことになる。【００３８】  表示用発光カバーｃ６００〜ｃ６５９及び表示用発光カバーｃ８００〜ｃ８５９は、発光ダイオード各１個が１枚又は数枚の凸レンズ効果によって、光を調整し、眩しさを制限してくれる。【００３９】  秒���表す表示用発光ダイオードｃ５００〜ｃ５５９で、２番目の円形の外側にあり、その構造は、青（第１１の色）を基本にする６０個とを含む。その結果、表示用発光ダイオードｃ５００〜ｃ５５９すなわち青は、１個すなわち１秒ずつ１回進み、６０個すなわち６０秒ずつ元に戻って、いわゆる「秒」と言われる所以を持つ。【００４０】  分を表す表示用発光ダイオードｃ７００〜ｃ７５９で、３番目の円形の外側にあり、その構造は、緑（第１２の色）を基本にする６０個とを含む。その結果、表示用発光ダイオードｃ７００〜ｃ７５９すなわち緑は、１個すなわち１分、すなわち６０秒ずつ１回進み、６０個すなわち６０分、すなわち６０×６０秒ずつ元に戻って、いわゆる「分」と言われる所以を持つ。【００４１】  さらに、時を表す表示用発光ダイオード（第１３の発光素子すなわち第１３の発光ダイオード）ｃ９００〜ｃ９７１で、大きな波形のうねりを持って、しかも発光カバーも付けないで、最も内側にあり、その構造は、赤（第１３の色）を基本にする７２個とを含む。その結果、何もない表示用発光ダイオードｃ９００〜ｃ９７１すなわち赤は、１個すなわち１／６時、つまり（１／６）×６０分、すなわち（１／６）×６０×６０秒ずつ１回進み、７２個すなわち７２×（１／６）時、つまり７２×（１／６）×６０分、すなわち７２×（１／６）×６０×６０秒ずつ元に戻って、いわゆる「時」と言われる所以を持つ。【００４２】  一方、表示用発光ダイオードｃ９００〜ｃ９７１は、目覚し時間や時間合わせなどを正確に合わせることが可能である。この場合、「点滅の青」つまりスイッチｃ０が２ミリ程度のオフ状態から、「点滅の赤」つまりスイッチｃ０が４ミリ程度のオン状態になり、表示用発光ダイオードｃ９００〜ｃ９７１は、例えば朝７時にセットされた状態となる。表示用発光ダイオードｃ９００〜ｃ９７１は、その間何もしないが、朝７時になったら、ブザーなどを鳴らし、スイッチｃ０を「点滅の青」に戻せばいい。このように、スイッチｃ０の「点滅の青」は、一般に何もしない状態を示し合わせることを言う。【００４３】  なお、表示用発光カバーｃ６００〜ｃ６５９及び表示用発光カバーｃ８００〜ｃ８５９、つまり表示用発光ダイオードｃ５００〜ｃ５５９及び表示用発光ダイオードｃ７００〜ｃ７５９、すなわち青及び緑の各６０個と、表示用発光ダイオードｃ９００〜ｃ９７１、すなわち赤の７２個は、「３０秒」、「１０分」及び「１０時」、つまり「１０時１０分３０秒」を例に表現して見た。しかも、例えば朝７時などの「点滅の青」が固定であるため、問題はない。【００４４】  ところで、時刻用発光カバーｃ４００〜ｃ４１１すなわち時刻用発光ダイオードｃ３００〜ｃ３１１は、１２個すなわち赤の０時、緑の６時と、青の１時ないし５時ならびに７時ないし１１時であって、常に光を点している。また、表示用発光カバーｃ６００〜ｃ６５９すなわち表示用発光ダイオードｃ５００〜ｃ５５９、及び表示用発光カバーｃ８００〜ｃ８５９すなわち表示用発光ダイオードｃ７００〜ｃ７５９の各６０個のうち、秒及び分と、表示用発光ダイオードｃ９００〜ｃ９７１の１／６時の各１個、合計３個のみが点灯している。そのため、時刻用発光カバーｃ４００〜���４１１すなわち時刻用発光ダイオードｃ３００〜ｃ３１１の位置と、表示用発光カバーｃ６００〜ｃ６５９すなわち表示用発光ダイオードｃ５００〜ｃ５５９、及び表示用発光カバーｃ８００〜ｃ８５９すなわち表示用発光ダイオードならびに表示用発光ダイオードｃ９００〜ｃ９７１の位置とが全く一緒になる。ただし、表示用発光ダイオードｃ９００〜ｃ９７１の場合、大きな上下変動を持つため、位置はかなり不安定なものになる。【００４５】  一方、表示用発光カバーｃ６００〜ｃ６５９と表示用発光ダイオードｃ５００〜ｃ５５９すなわち青、表示用発光カバーｃ６００〜ｃ６５９と表示用発光ダイオードｃ７００〜ｃ７５９すなわち緑、又は表示用発光ダイオードｃ９００〜ｃ９７１すなわち赤が少し時間に合わせたいか、逆に大きく時間が狂っている場合、まず表示用発光ダイオードｃ５００〜ｃ５５９などから調整し、順に表示用発光ダイオードｃ７００〜ｃ７５９など及び表示用発光ダイオードｃ９００〜ｃ９７１などに調整することが可能である。この場合、目覚し時計の裏側に用意してあるが、説明は省略した。【００４６】実施例２−１  図４ないし図６において、この実施例２−１ないし実施例２−３の時計は、腕時計Ｄ、腕時計Ｅ及び目覚し時計Ｆとして呼ばれているもので、４番目から６番目まで順に説明して行こう。【００４７】  図４において、この実施例２−１の時計は、特にその大きさに制限されないが、やや大きめに描かれている。【００４８】  ベルト具ｄ０及びベルト具ｄ１には、見えないベルトなどを介して、腕時計Ｄと繋がっている。また、竜頭巻ｄ２は、１段階ないし３段階を選択することができる。前に説明した通りだ。【００４９】  次に、時刻用発光ダイオードｄ３は、１個からなり、正面の真中に、しかも大きくなって組み込まれる。時刻用発光ダイオードｄ３は、点滅を皮切りに、０秒が赤、１５秒、３０秒又は４５秒が緑、１秒から１４秒、１６秒から２９秒、３１秒から４４秒又は４６秒から５９秒が青となり、６０秒で元に帰って来る。１秒は、半分が赤、緑又は青になり、残り半分が無色である。【００５０】  一方、表示用発光カバー（第１の発光カバー）ｄ５００〜ｄ５５９は、１式からなり、この実像には見えないが、６０個、すなわち秒と分の表示用発光ダイオード（第２１の発光素子すなわち第２１の発光ダイオード）ｄ４００〜ｄ４５９を持つ。表示用発光カバーｄ５００〜ｄ５５９と表示用発光ダイオードｄ４００〜ｄ４５９とは、時刻用発光ダイオードｄ３と１８０度違うことになる。【００５１】  表示用発光カバーｄ５００〜ｄ５５９は、発光ダイオード各１個が１枚又は数枚の凸レンズ効果によって、光を調整し、眩しさを制限してくれる。【００５２】  秒及び分を表す表示用発光ダイオードｄ４００〜ｄ４５９で、最も円形の外側にあり、その構造は、青（第２１の色）及び緑（第２２の色）、あるいは青緑（第２４の色）を基本にする合計２×６０個又は１×６０個とを含む。その結果、青は、１個すなわち１秒ずつ１回進み、６０個すなわち６０秒ずつ元に戻って、いわゆる「秒」と言われる所以を持つ。また、緑は、１個すなわち１分、すなわち６０秒ずつ１回進み、６０個すなわち６０分、すなわち６０×６０秒ずつ元に戻って、いわゆる「分」と言われる所以を持つ。青緑は、青及び緑が１個だけ、すなわち１秒と１分だけ、すなわち１秒間だけ期間を持っている。【００５３】  一方、表示用発光カバー（第１の発光カバー）ｄ７００〜ｄ７１１も１式からなり、この実像には見えないが、１２個、すなわち時の表示用発光ダイオード（第２２の発光素子すなわち第２２の発光ダイオード）ｄ６００〜ｄ６１１を持つ。表示用発光カバーｄ７００〜ｄ７１１と表示用発光ダイオードｄ６００〜ｄ６１１とは、時刻用発光ダイオードｄ３と１８０度違うことになる。【００５４】  表示用発光カバーｄ７００〜ｄ７１１は、発光ダイオード各１個が１枚又は数枚の凸レンズ効果によって、光を調整し、眩しさを制限してくれる。【００５５】  時を表す表示用発光ダイオードｄ６００〜ｄ６１１で、最も円形の内側にあり、その構造は、赤（第２３の色）を基本にする１２個とを含む。その結果、赤は、１個すなわち時、つまり６０分、すなわち６０×６０秒ずつ１回進み、１２個すなわち１２時、つまり１２×６０分、すなわち１２×６０×６０秒ずつ元に戻って、いわゆる「時」と言われる所以を持つ。【００５６】  なお、表示用発光カバーｄ５００〜ｄ５５９、つまり表示用発光ダイオードｄ４００〜ｄ４５９、すなわち青、緑及び青緑の６０個と、表示用発光カバーｄ７００〜ｄ７１１、つまり表示用発光ダイオードｄ６００〜ｄ６１１、すなわち赤の１２個は、「３０秒」、「１０分」及び「１０時」、つまり「１０時１０分３０秒」を例に表現して見た。【００５７】  ところで、時刻用発光ダイオードｄ３は、１個すなわち赤の０秒、緑の１５秒、３０秒及び４５秒、青の１秒から１４秒、１６秒から２９秒、３１秒から４４秒及び４６秒から５９秒であって、点滅して常に光を点している。また、表示用発光カバーｄ５００〜ｄ５５９すなわち表示用発光ダイオードｄ４００〜ｄ４５９の６０個のうち、秒及び分の各１個、合計２個のみが青、緑及び青緑に変る。また、表示用発光カバーｄ７００〜ｄ７１１すなわち表示用発光ダイオードｄ６００〜ｄ６１１の１２個のうち、時の１個のみが赤に変る。【００５８】  一方、表示用発光カバーｄ５００〜ｄ５５９と表示用発光ダイオードｄ４００〜ｄ４５９すなわち青及び緑又は青緑、あるいは表示用発光カバーｄ７００〜ｄ７１１と表示用発光ダイオードｄ６００〜ｄ６１１すなわち赤が少し時間に合わせたいか、逆に大きく時間が狂っている場合、まず表示用発光ダイオードｄ４００〜ｄ４５９の青及び緑又は青緑から調整し、順に表示用発光ダイオードｄ６００〜ｄ６１１の赤に調整することが可能である。この場合、竜頭巻ｄ２が、１段階が発光ダイオードｄ４００〜ｄ４５９の青又は青緑に変り、２段階が同じく表示用発光ダイオードｄ４００〜ｄ４５９の緑又は青緑に変り、３段階が表示用発光ダイオードｄ６００〜ｄ６１１の赤に変る。【００５９】実施例２−２  図５において、この実施例２−２の時計は、特にその大きさに制限されないが、やや大きめに描かれている。【００６０】  ベルト具ｅ０及びベルト具ｅ１には、見えないベルトなどを介して、腕時計Ｅと繋がっている。また、竜頭巻ｅ２は、１段階ないし３段階を選択することができる。穴ｅ３には、何もなく空洞である。【００６１】  次に、時刻用発光ダイオードｅ４００、ｅ４０２ないしｅ４１０は、６個からなり、最も円形の外側にある。そのうち、０時すなわち１２時で赤を基本とし、６時で緑、２時及び４時ならびに８時及び１０時で青となる。この結果、半永久的な時刻用発光ダイオードｅ４００、ｅ４０２ないしｅ４１０が得られる。【００６２】  一方、表示用発光カバー（第１の発光カバー）ｅ６００〜ｅ６５９及び表示用発光カバーｅ８００〜ｅ８５９は、１式からなり、この実像には見えないが、６０個、すなわち秒と分の表示用発光ダイオード（第２１の発光素子すなわち第２１の発光ダイオード）ｅ５００〜ｅ５５９、及び６０個、すなわち時の表示用発光ダイオード（第２２の発光素子すなわち第２２の発光ダイオード）ｅ７００〜ｅ７５９を持つ。また、表示用発光カバーｅ６００〜ｅ６５９及び表示用発光カバーｅ８００〜ｅ８５９と表示用発光ダイオードｅ５００〜ｅ５５９及び表示用発光ダイオードｅ７００〜ｅ７５９は、時刻用発光ダイオードｅ４００、ｅ４０２ないしｅ４１０と１８０度違うことになる。【００６３】  表示用発光カバーｅ６００〜ｅ６５９及び表示用発光カバーｅ８００〜ｅ８５９は、発光ダイオード各１個が１枚又は数枚の凸レンズ効果によって、光を調整し、眩しさを制限してくれる。【００６４】  秒及び分を表す表示用発光ダイオードｅ５００〜ｅ５５９で、２番目の円形の外側にあり、その構造は、青（第２１の色）及び緑（第２２の色）、あるいは青緑（第２４の色）を基本にする６０個とを含む。また、時を表す表示用発光ダイオードｅ７００〜ｅ７５９で、最も円形の内側にあり、その構造は、赤（第２３の色）を基本にする６０個とを含む。【００６５】  その結果、青は、１個すなわち１秒ずつ１回進み、６０個すなわち６０秒ずつ元に戻って、いわゆる「秒」と言われる所以を持つ。また、緑は、１個すなわち１分、すなわち６０秒ずつ１回進み、６０個すなわち６０分、すなわち６０×６０秒ずつ元に戻って、いわゆる「分」と言われる所以を持つ。青緑は、青及び緑が１個だけ、すなわち１秒と１分だけ、すなわち１秒間だけ期間を持っている。【００６６】  一方、赤は、１個すなわち１／５時、つまり（１／５）×６０分、すなわち（１／５）×６０×６０秒ずつ１回進み、６０個すなわち６０×（１／５）時、つまり６０×（１／５）×６０分、すなわち６０×（１／５）×６０×６０秒ずつ元に戻って、いわゆる「時」と言われる所以を持つ。【００６７】  なお、表示用発光カバーｅ６００〜ｅ６５９及び表示用発光カバーｅ８００〜ｅ８５９、つまり表示用発光ダイオードｅ５００〜ｅ５５９及び表示用発光ダイオードｅ７００〜ｅ７５９、すなわち青及び緑又は青緑ならびに赤の各６０個は、「３０秒」、「１０分」及び「１０時」、つまり「１０時１０分３０秒」を例に表現して見た。【００６８】  ところで、時刻用発光ダイオードｅ４００、ｅ４０２ないしｅ４１０は、６個すなわち赤の０時、緑の６時、青の２時及び４時ならびに８時及び１０時であって、常に光を点している。また、表示用発光カバーｅ６００〜ｅ６５９すなわち表示用発光ダイオードｅ５００〜ｅ５５９の６０個のうち、秒及び分の各１個、合計３個のみが青、緑又は青緑ならびに赤に変る。【００６９】  一方、表示用発光カバーｅ６００〜ｅ６５９及び表示用発光カバーｅ８００〜ｅ８５９と表示用発光ダイオードｅ５００〜ｅ５５９すなわち青及び緑又は青緑、あるいは表示用発光ダイオードｅ７００〜ｅ７５９すなわち赤が少し時間に合わせたいか、逆に大きく時間が狂っている場合、まず表示用発光ダイオードｅ５００〜ｅ５５９の青及び緑又は青緑から調整し、順に表示用発光ダイオードｅ７００〜ｅ７５９の赤に調整することが可能である。この場合、竜頭巻ｅ２が、１段階が表示用発光ダイオードｅ５００〜ｅ５５９の青又は青緑に変り、２段階が同じく表示用発光ダイオードｅ５００〜ｅ５５９の緑又は青緑に変り、３段階が表示用発光ダイオードｅ７００〜ｅ７５９の赤に変る。【００７０】実施例２−３  図６において、この実施例２−３の時計は、特にその大きさに制限されないが、やや大きめに描かれている。【００７１】  スイッチｆ０は、何もしない時、２ミリ程度を基本にオフ状態とされ、全く機能しない。しかし、スイッチｆ０が、４ミリ程度を基本にオン状態とされると、他の機能と関係して、色々な種類を持つ。後ほど具体的に述べよう。台ｆ１及び台ｆ２は、単に下側の関係を持つ。【００７２】  次に、時刻用発光カバーｆ４００〜ｆ４１１は、１式からなり、この実像には見えないが、１２個、すなわち時刻用発光ダイオードｆ３００〜ｆ３１１を持って、最も円形の外側にある。そのうち、０時で赤を基本と、６時で緑と、１時ないし５時ならびに７時ないし１１時で青となる。その結果、半永久的な時刻用発光カバーｆ４００〜ｆ４１１すなわち時刻用発光ダイオードｆ３００〜ｆ３１１が得られる。時刻用発光カバーｆ４００〜ｆ４１１は、発光ダイオード各１個が１枚又は数枚の凸レンズ効果によって、光を調整し、眩しさを制限してくれる。【００７３】  一方、表示用発光カバー（第１の発光カバー）ｆ６００〜ｆ６５９は、１式からなり、この実像には見えないが、６０個、すなわち秒と分の表示用発光ダイオード（第２１の発光素子すなわち第２１の発光ダイオード）ｆ５００〜ｆ５５９を持つ。表示用発光カバーｆ６００〜ｆ６５９と表示用発光ダイオードｆ５００〜ｆ５５９とは、時刻用発光カバーｆ４００〜ｆ４１１すなわち時刻用発光ダイオードｆ３００〜ｆ３１１と１８０度違うことになる。【００７４】  表示用発光カバーｆ６００〜ｆ６５９は、発光ダイオード各１個が１枚又は数枚の凸レンズ効果によって、光を調整し、眩しさを制限してくれる。【００７５】  秒及び分を表す表示用発光ダイオードｆ５００〜ｆ５５９で、２番目の円形の外側にあり、その構造は、青（第２１の色）及び緑（第２２の色）、あるいは青緑（第２４の色）を基本にする６０個とを含む。【００７６】  その結果、青は、１個すなわち１秒ずつ１回進み、６０個すなわち６０秒ずつ元に戻って、いわゆる「秒」と言われる所以を持つ。また、緑は、１個すなわち１分、すなわち６０秒ずつ１回進み、６０個すなわち６０分、すなわち６０×６０秒ずつ元に戻って、いわゆる「分」と言われる所以を持つ。青緑は、青及び緑が１個だけ、すなわち１秒と１分だけ、すなわち１秒間だけ期間を持っている。【００７７】  時を表す表示用発光ダイ���ード（第２２の発光素子すなわち第２２の発光ダイオード）ｆ７００〜ｆ７７１で、大きな波形のうねりを持って、しかも発光カバーも付けないで、最も内側にあり、その構造は、赤（第２３の色）を基本にする７２個とを含む。その結果、何もない表示用発光ダイオードｆ７００〜ｆ７７１すなわち赤は、１個すなわち１／６時、つまり（１／６）×６０分、すなわち（１／６）×６０×６０秒ずつ１回進み、７２個すなわち７２×（１／６）時、つまり７２×（１／６）×６０分、すなわち７２×（１／６）×６０×６０秒ずつ元に戻って、いわゆる「時」と言われる所以を持つ。【００７８】  一方、表示用発光ダイオードｆ７００〜ｆ７７１は、目覚し時間や時間合わせなどを正確に合わせることが可能である。この場合、「点滅の青」つまりスイッチｆ０が２ミリ程度のオフ状態から、「点滅の赤」つまりスイッチｆ０が４ミリ程度のオン状態になり、表示用発光ダイオードｆ７００〜ｆ７７１は、例えば朝７時にセットされた状態になる。表示用発光ダイオードｆ７００〜ｆ７７１は、その間何もしないが、朝７時になったら、ブザーなどを鳴らし、スイッチｆ０を「点滅の青」に戻せばいい。このように、スイッチｆ０の「点滅の青」は、一般に何もしない状態を示し合わせることを言う。【００７９】  なお、表示用発光カバーｆ６００〜ｆ６５９、つまり表示用発光ダイオードｆ５００〜ｆ５５９、すなわち青及び緑又は青緑の６０個と、表示用発光ダイオードｆ７００〜ｆ７７１、すなわち赤の７２個は、「３０秒」、「１０分」及び「１０時」、つまり「１０時１０分３０秒」を例に表現して見た。しかも、例えば朝７時などの「点滅の青」が固定であるため、問題はない。【００８０】  ところで、時刻用発光カバーｆ４００〜ｆ４１１すなわち時刻用発光ダイオードｆ３００〜ｆ３１１は、１２個すなわち赤の０時、緑の６時と、青の１時ないし５時ならびに７時ないし１１時であって、常に光を点している。また、表示用発光カバーｆ６００〜ｆ６５９すなわち表示用発光ダイオードｆ５００〜ｆ５５９の６０個のうち、秒及び分と、表示用発光ダイオードｆ７００〜ｆ７７１の１／６時の各１個、合計３個のみが点している。そのため、時刻用発光カバーｆ４００〜ｆ４１１すなわち時刻用発光ダイオードｆ３００〜ｆ３１１の位置と、表示用発光カバーｆ６００〜ｆ６５９すなわち表示用発光ダイオードｆ５００〜ｆ５５９及び表示用発光ダイオードｆ７００〜ｆ７７１の位置と全く一緒になる。ただし、表示用発光ダイオードｆ７００〜ｆ７７１の場合、大きな上下変動を持つため、位置はかなり不安定なものになる。【００８１】  一方、表示用発光カバーｆ６００〜ｆ６５９と表示用発光ダイオードｆ５００〜ｆ５５９すなわち青、緑又は青緑と、表示用発光ダイオードｆ７００〜ｆ７７１すなわち赤が少し時間に合わせたいか、逆に大きな時間が狂っている場合、まず表示用発光ダイオードｆ５００〜ｆ５５９から調整し、順に表示用発光ダイオードｆ５００〜ｆ５５９及び表示用発光ダイオードｆ７００〜ｆ７７１に調整することが可能である。この場合、目覚し時計の裏側に用意してあるが、説明は削除した。【００８２】実施例３−１  図７ないし図９において、この実施例３−１ないし実施例３−３の時計は、腕時計Ｇ、目覚し時計Ｈ及び腕時計Ｉとして呼ばれているもので、７番目から９番目まで順に説明して行こう。【００８３】  図７において、この実施例３−１の時計は、特にその大きさに制限されないが、やや大きめに描かれている。【００８４】  ベルト具ｇ０及びベルト具ｇ１には、見えないベルトなどを介して、腕時計Ｇと繋がっている。また、竜頭巻ｇ２は、１段階ないし３段階を選択することができる。穴ｇ３には、何もなく空洞である。【００８５】  次に、時刻用発光ダイオードｇ４００、ｇ４０２ないしｇ４１０は、６個からなり、最も円形の外側にある。そのうち、０時すなわち１２時で赤を基本とし、６時で緑、２時及び４時ならびに８時及び１０時で青となる。この結果、半永久的な時刻用発光ダイオードｇ４００、ｇ４０２ないしｇ４１０が得られる。【００８６】  一方、表示用発光カバー（第１の発光カバー）ｇ６００〜ｇ６５９は、１式からなり、この実像には見えないが、６０個、すなわち秒、分及び時の表示用発光ダイオード（第３の発光素子すなわち第３の発光ダイオード）ｇ５００〜ｇ５５９を持つ。また、表示用発光カバーｇ６００〜ｇ６５９と表示用発光ダイオードｇ５００〜ｇ５５９は、時刻用発光ダイオードｇ４００、ｇ４０２ないしｇ４１０と１８０度違うことになる。【００８７】  表示用発光カバーｇ６００〜ｇ６５９は、発光ダイオード１個が１枚又は数枚の凸レンズ効果によって、光を調整し、眩しさを制限してくれる。【００８８】秒、分及び時を表す表示用発光ダイオードｇ５００〜ｇ５５９で、最も円形の内側にあり、その構造は、混ざらない青（第３１の色）、緑（第３２の色）及び赤（第３３の色）と、混ざった青及び緑つまり青緑（第３４の色）、緑及び赤つまり黄（第３５の色）、又は赤及び青つまり赤紫（第３６の色）と、混ざった青、緑及び赤つまり白（第３７の色）を基本にする６０個とを含む。【００８９】その結果、青は、１個すなわち１秒ずつ１回進み、６０個すなわち６０秒ずつ元に戻って、いわゆる「秒」と言われる所以を持つ。ただし、６０秒のうち、青から青緑又は赤紫あるいは白に変ることは、青緑及び赤紫で各１秒間か、白で１秒間のみとなる。【００９０】  一方、緑は、１個すなわち１分、すなわち６０秒ずつ１回進み、６０個すなわち６０分、すなわち６０×６０秒ずつ元に戻って、いわゆる「分」と言われる所以を持つ。ただし、６０分のうち、青緑又は黄あるいは白に変ることがあるが、青緑で１秒間、黄で１分間、白で１秒間のみとなる。【００９１】  さらに、赤は、１個すなわち１／５時、つまり（１／５）×６０分、すなわち（１／５）×６０×６０秒ずつ１回進み、６０個すなわち６０×（１／５）時、つまり６０×（１／５）×６０分、すなわち６０×（１／５）×６０×６０秒ずつ元に戻って、いわゆる「時」と言われる所以を持つ。ただし、６０×（１／５）時のうち、黄で１秒間、赤紫で１秒間、白で１秒間のみとなる。【００９２】  なお、表示用発光カバーｇ６００〜ｇ６５９、つまり表示用発光ダイオードｇ５００〜ｇ５５９、すなわち青、緑及び赤と、青緑、黄及び赤紫と、白の６０個は、「３０秒」、「１０分」及び「１０時」、つまり「１０時１０分３０秒」を例に表現して見���。【００９３】  ところで、時刻用発光ダイオードｇ４００、ｇ４０２ないしｇ４１０は、６個すなわち赤の０時、緑の６時、青の２時及び４時ならびに８時及び１０時であって、常に光を点している。また、表示用発光カバーｇ６００〜ｇ６５９すなわち表示用発光ダイオードｇ５００〜ｇ５５９の６０個のうち、秒、分又は１／５時が、３個で青、緑又は赤なのか、２個で青緑又は赤、黄又は青あるいは赤紫又は緑なのか、１個で白なのかを見る必要がある。【００９４】  一方、表示用発光カバーｇ６００〜ｇ６５９と表示用発光ダイオードｇ５００〜ｇ５５９すなわち青、緑及び赤、あるいは青緑、黄及び赤紫、もしくは白が少し時間に合わせたいか、逆に大きく時間が狂っている場合、まず表示用発光ダイオードｇ５００〜ｇ５５９の青、青緑又は白で調整し、表示用発光ダイオードｇ５００〜ｇ５５９の緑、黄又は白で調整し、表示用発光ダイオードｇ５００〜ｇ５５９の赤、赤紫又は白で調整することが可能である。この場合、竜頭巻ｇ２が、１段階が表示用発光ダイオードｇ５００〜ｇ５５９の青、青緑又は白に変り、２段階が同じく表示用発光ダイオードｇ５００〜ｇ５５９の緑、黄又は白に変り、３段階が同じく表示用発光ダイオードｇ５００〜ｇ５５９の赤、赤紫又は白に変る。【００９５】実施例３−２  図８において、この実施例３−２の時計は、特にその大きさに制限されないが、やや大きめに描かれている。【００９６】  スイッチｈ０は、何もしない時、２ミリ程度を基本にオフ状態とされ、全く機能しない。しかし、スイッチｈ０が、４ミリ程度を基本にオン状態とされると他の機能と関係して、色々な種類を持つ。後ほど具体的に述べよう。台ｈ１及び台ｈ２は、単に下側の関係を持つ。穴ｈ３には、何もなり空洞である。【００９７】  次に、時刻用発光カバーｈ５００〜ｈ５１１は、１式からなり、この実像には見えないが、１２個、すなわち時刻用発光ダイオードｈ４００〜ｈ４１１を持って、最も円形の外側にある。そのうち、０時で赤を基本と、６時で緑と、１時ないし５時ならびに７時ないし１１時で青となる。その結果、半永久的な時刻用発光カバーｈ５００〜ｈ５１１すなわち時刻用発光ダイオードｈ４００〜ｈ４１１が得られる。時刻用発光カバーｈ５００〜ｈ５１１は、発光ダイオード１個が１枚又は数枚の凸レンズ効果によって、光を調整し、眩しさを制限してくれる。【００９８】  一方、表示用発光カバー（第１の発光カバー）ｈ７００〜ｈ７５９は、１式からなり、この実像には見えないが、６０個、すなわち秒、分と時の表示用発光ダイオード（第３の発光素子すなわち第３の発光ダイオード）ｈ６００〜ｈ６５９を持つ。表示用発光カバーｈ７００〜ｈ７５９と表示用発光ダイオードｈ６００〜ｈ６５９とは、時刻用発光カバーｈ５００〜ｈ５１１すなわち時刻用発光ダイオードｈ４００〜ｈ４１１と１８０度違うことになる。【００９９】  表示用発光カバーｈ７００〜ｈ７５９は、発光ダイオード１個が１枚又は数枚の凸レンズ効果によって、光を調整し、眩しさを制限してくれる。【０１００】  秒、分及び時を表す表示用発光ダイオードｈ６００〜ｈ６５９で、最も円形の内側にあり、その構造は、混ざらない青（第３１の色）、緑（第３２の色）及び赤（第３３の色）と、混ざった青及び緑つまり青緑（第３４の色）、緑及び赤つまり黄（第３５の色）、又は赤及び青つまり赤紫（第３６の色）と、混ざった青、緑及び赤つまり白（第３７の色）を基本にする６０個とを含む。【０１０１】その結果、青は、１個すなわち１秒ずつ１回進み、６０個すなわち６０秒ずつ元に戻って、いわゆる「秒」と言われる所以を持つ。ただし、６０秒のうち、青から青緑又は赤紫あるいは白に変ることは、青緑又は赤紫で各１秒間か、白で１秒間のみとなる。【０１０２】  一方、緑は、１個すなわち１分、すなわち６０秒ずつ１回進み、６０個すなわち６０分、すなわち６０×６０秒ずつ元に戻って、いわゆる「分」と言われる所以を持つ。ただし、６０分のうち、青緑又は黄あるいは白に変ることがあるが、青緑で１秒間、黄で１分間、白で１秒間のみとなる。【０１０３】  さらに、赤は、１個すなわち１／５時、つまり（１／５）×６０分、すなわち（１／５）×６０×６０秒ずつ１回進み、６０個すなわち６０×（１／５）時、つまり６０×（１／５）×６０分、すなわち６０×（１／５）×６０×６０秒ずつ元に戻って、いわゆる「時」と言われる所以を持つ。ただし、６０×（１／５）時のうち、黄で１秒間、赤紫で１秒間、白で１秒間のみとなる。【０１０４】  なお、表示用発光カバーｈ７００〜ｈ７５９、つまり表示用発光ダイオードｈ６００〜ｈ６５９、すなわち青、緑及び赤と、青緑、黄及び赤紫と、白の６０個は、「３０秒」、「１０分」及び「１０時」、つまり「１０時１０分３０秒」を例に表現して見た。【０１０５】  ところで、時刻用発光カバーｈ５００〜ｈ５１１すなわち時刻用発光ダイオードｈ４００〜ｈ４１１は、１２個すなわち赤の０時、緑の６時、青の１時ないし５時ならびに７時ないし１１時であって、常に光を点している。また、表示用発光カバーｈ７００〜ｈ７５９すなわち表示用発光ダイオードｈ６００〜ｈ６５９の６０個のうち、秒、分又は１／５時が、３個で青、緑又は赤なのか、２個で青緑又は赤、黄又は青あるいは赤紫又は緑なのか、１個で白なのかを見る必要がある。【０１０６】  一方、表示用発光カバーｈ７００〜ｈ７５９と表示用発光ダイオードｈ６００〜ｈ６５９すなわち青、緑及び赤、あるいは青緑、黄又は赤紫、もしくは白が少し時間に合わせたいか、逆に大きく時間が狂っている場合、まず表示用発光ダイオードｈ６００〜ｈ６５９の青、青緑又は白で調整し、表示用発光ダイオードｈ６００〜ｈ６５９の緑、黄又は白で調整し、表示用発光ダイオードｈ６００〜ｈ６５９の赤、赤紫又は白で調整することが可能である。この場合、目覚し時計Ｈの裏側に用意してあるが、説明は削除した。【０１０７】実施例３−３  図９において、この実施例３−３の時計は、特にその大きさに制限されないが、やや大きめに描かれている。【０１０８】  ベルト具ｉ０及びベルト具ｉ１には、見えないベルトなどを介して、腕時計Ｉと繋がっている。また、竜頭巻ｉ２及び竜頭巻ｉ３は、各々が数段階を選択することができるが、その具体的な方法は色々考えられよう。【０１０９】  次に、時刻用発光ダイオードｉ４００、ｉ４０３ないしｉ４０９は、４個からなり、最も４角形の外側にある。そのうち、０時すなわち１２時で赤を基本���し、６時で緑、３時及び９時で青となる。この結果、半永久的な時刻用発光ダイオードｉ４００、ｉ４０３ないしｉ４０９が得られる。【０１１０】  一方、表示用発光カバー（第１の発光カバー）ｉ６００〜ｉ６５９は、１式からなり、この実像には見えないが、６０個、すなわち秒、分及び時の表示用発光ダイオード（第３の発光素子すなわち第３の発光ダイオード）ｉ５００〜ｉ５５９を持つ。【０１１１】  表示用発光カバーｉ６００〜ｉ６５９は、発光ダイオード１個が１枚又は数枚の凸レンズ効果によって、光を調整し、眩しさを制限してくれる。【０１１２】  秒、分及び時を表す表示用発光ダイオードｉ５００〜ｉ５５９で、２番目の４角形の外側にあり、その構造は、混ざらない青（第３１の色）、緑（第３２の色）及び赤（第３３の色）と、混ざった青及び緑つまり青緑（第３４の色）、緑及び赤つまり黄（第３５の色）、又は赤及び青つまり赤紫（第３６の色）と、混ざった青、緑及び赤つまり白（第３７の色）を基本にする６０個とを含む。【０１１３】  その結果、青は、１個すなわち１秒ずつ１回進み、６０個すなわち６０秒ずつ元に戻って、いわゆる「秒」と言われる所以を持つ。ただし、６０秒のうち、青から青緑又は赤紫あるいは白に変ることは、青緑又は赤紫で各１秒間か、白で１秒間のみとなる。【０１１４】  一方、緑は、１個すなわち１分、すなわち６０秒ずつ１回進み、６０個すなわち６０分、すなわち６０×６０秒ずつ元に戻って、いわゆる「分」と言われる所以を持つ。ただし、６０分のうち、青緑又は黄あるいは白に変ることがあるが、青緑で１秒間、黄で１分間、白で１秒間のみとなる。【０１１５】  さらに、赤は、１個すなわち１／５時、つまり（１／５）×６０分、すなわち（１／５）×６０×６０秒ずつ１回進み、６０個すなわち６０×（１／５）時、つまり６０×（１／５）×６０分、すなわち６０×（１／５）×６０×６０秒ずつ元に戻って、いわゆる「時」と言われる所以を持つ。ただし、６０×（１／５）時のうち、黄で１秒間、赤紫で１秒間、白で１秒間のみとなる。【０１１６】  なお、表示用発光カバーｉ６００〜ｉ６５９、つまり表示用発光ダイオードｉ５００〜ｉ５５９、すなわち青、緑及び赤と、青緑、黄及び赤紫と、白の６０個は、「３０秒」、「１０分」及び「１０時」、つまり「１０時１０分３０秒」を例に表現して見た。【０１１７】  次に、年用液晶ｉ７は、４つの液晶と１つの液晶を備え、年号、すなわち例えば２００５年を「２００５．」と呼ぶ。また、月日用液晶ｉ８は、５つの液晶と２つの液晶を備え、月日号、すなわち例えば９月２４日午前を「  ９．２４．：」と呼ぶ。さらに、時分秒用液晶ｉ９は、６つの液晶と３つの液晶を備え、時分秒号、すなわち例えば１０時１０分３０秒を「１０．１０．３０．」と呼ぶ。【０１１８】  このうち、月日用液晶ｉ８の最後の液晶は、「午前／午後」を切り換えるためのものである。また、年用液晶ｉ７の最後の液晶、月日用液晶ｉ８の３番目及び６番目の液晶、ならびに時分秒用液晶ｉ９の３番目、６番目及び９番目の液晶は、常時電気が流れるためのものである。【０１１９】  ところで、時刻用発光ダイオードｉ４００、ｉ４０３ないしｉ４０９は、４個すなわち赤の０時、緑の６時、��の３時及び９時であって、常に光を点している。また、表示用発光カバーｉ４すなわち表示用発光ダイオードｉ４１の６０個のうち、秒、分又は１／５時が、３個で青、緑又は赤なのか、２個で青緑又は赤、黄又は青あるいは赤紫又は緑なのか、１個で白なのかを見る必要がある。【０１２０】  一方、表示用発光カバーｉ６００〜ｉ６５９すなわち表示用発光ダイオードｉ５００〜ｉ５５９、すなわち青、緑及び赤、あるいは青緑、黄及び赤紫、もしくは白が少し時間に合わせたいか、逆に大きく時間が狂っている場合、まず表示用発光ダイオードｉ５００〜ｉ５５９の青、青緑又は白で調整し、表示用発光ダイオードｉ５００〜ｉ５５９の緑、黄又は白で調整し、表示用発光ダイオードｉ５００〜ｉ５５９の赤、赤紫又は白で調整することが可能である。この場合、例えば竜頭巻ｉ２が、１段階が表示用発光ダイオードｉ５００〜ｉ５５９の青、青緑又は白に変り、２段階が同じく表示用発光ダイオードｉ５００〜ｉ５５９の緑、黄又は白に変り、３段階が同じく表示用発光ダイオードｉ５００〜ｉ５５９の赤、赤紫又は白に変る。【０１２１】  以上の実施例から得られる作用効果は、下記の通りである。すなわち、（１）腕時計、目覚し時計などのような時計において、６０個の第１１の発光ダイオードのうち、１個の第１１の発光ダイオードが秒すなわち青として順に発光し、６０個の第１２の発光ダイオードのうち、１個の第１２の発光ダイオードが分すなわち緑として順に発光し、６０個又は７２個の第１３の発光ダイオードのうち、１個の第１３の発光ダイオードが１／５時又は１／６時すなわち赤として順に発光するため、簡単にしかも分かりやすい時計を実現できる他、腕時計及び目覚し時計などにも使用可能であるという効果が得られる。【０１２２】（２）腕時計、目覚し時計などのような時計において、６０個の第２１の発光ダイオードのうち、２個の第２１の発光ダイオードが秒すなわち青及び分すなわち緑、あるいは１個の第２１の発光ダイオードが秒及び分すなわち青緑として順に発光し、１２個、６０個又は７２個の第２２の発光ダイオードのうち、１個の第２２の発光ダイオードが時、１／５時又は１／６時すなわち赤として順に発光するという効果が得られる。【０１２３】（３）腕時計、目覚し時計などのような時計において、６０個の第３の発光ダイオードのうち、３個の第３の発光ダイオードが秒すなわち青、分すなわち緑及び１／５時すなわち赤、もしくは２個の第３の発光ダイオードが秒及び分すなわち青緑ならびに１／５時すなわち赤、分及び１／５時すなわち黄ならびに秒すなわち青、あるいは１／５時及び秒すなわち赤紫ならびに分すなわち緑、もしくは１個の第３の発光ダイオードが秒、分及び１／５時すなわち白として順に発光するという効果が得られる。【０１２４】（４）第１１の発光カバー、第１２の発光カバー及び第１３の発光カバー、又は第２１の発光カバー及び第２２の発光カバー、又は第３の発光カバーは、第１１の発光ダイオード、第１２の発光ダイオード及び第１３の発光ダイオード、又は第２１の発光ダイオード及び第２２の発光ダイオード、又は第３の発光ダイオードとほぼ同じ所で、同じ位置だけ存在し、かつ各１個が、正面の無色透明の凸レ���ズ型で、側面及び下面などが遮断されたように囲まれるという効果が得られる。【０１２５】（５）秒、分及び時の液晶などを含むことができるという効果が得られる。（６）腕時計、目覚し時計、掛け時計又は置き時計などで時計を実現できるという効果が得られる。【０１２６】  以上、本発明者によりなされた発明を実施例に基づき具体的に説明しが、この発明は、上記実施例に限定されるものではなく、その要旨を逸脱しない範囲で種々変更可能であることは言うまでもない。例えば、図１において、腕時計Ｂ、目覚し時計Ｃ、腕時計Ｄ、腕時計Ｅ、目覚し時計Ｆ、腕時計Ｇ、目覚し時計Ｈ又は腕時計Ｉなどで分かる通り、１個ないし１２個によって得られる固定的な時刻用発光ダイオードと、１２個、６０個あるいは７２個によって得られる移動的な表示用発光ダイオードとで、直線的なものを作ればよい。また、１個ないし１２個の時刻用発光カバー又は時刻用発光ダイオードからなり、常に赤、緑又は青などと活動しているか、１秒は、半分が赤、緑又は青になり、残り半分が無色でいいし、他の各色に変えてもいい。図９において、今回は、年用液晶ｉ７［５１］、月日用液晶ｉ８及び時分秒用液晶ｉ９などを用いたが、これ以外にも各種のもの、例えば、秒針や電波時計などの他、色々とある。【０１２７】図１ないし図９において、時刻用発光ダイオード及び表示用発光ダイオードは、青ばかり、緑ばかり又は赤ばかり、なかんずく色々あるし、その組み合わせも可能である。また、この説明ではうたってないが、時刻用発光ダイオード又は表示用発光ダイオードなどを１個、２個又はそれ以上、しかも同時にいけばいい。竜頭巻は、１個から４個などの他、その数字は構わないし、穴は、これに代って、宝石や絵などを埋めればよい。また、時計の右回り、左回りは、可能となるし、発光ダイオードは、表面実装型を利用しているが、別に砲弾型を用いてもよい。６０秒、６０分あるいは１２時、６０時又は７２時は、逆であってもいいし、６０×Ｎ／Ｎ秒、６０×Ｎ／Ｎ分及び１２×５Ｎ／Ｎ（１／５時）は、何時でも見られる。さらに、分及び１／５時もしくは１／５時及び秒は、その関係を持つことができないし、時刻用発光カバー又は時刻用発光ダイオード、表示用発光カバー又は表示用発光ダイオードなどは適当に変えて構わない。【０１２８】  以上の説明では、主として本発明者によってなされた発明をその背景となった利用分野である腕時計又は目覚し時計あるいは年用液晶、月日用液晶又は時分秒用液晶に適用した場合について説明したが、それに限定されるものではなく、例えば、掛け時計又は置き時計あるいは液晶、秒針又は電波時計などにも適用できる。この発明は、少なくとも時計に広く適用できる。【０１２９】  本願において開示される発明のうち代表的なものによって得られる効果を簡単に説明すれば、下記の通りある。すなわち、腕時計、目覚し時計などのような時計において、秒を表す第１１の発光ダイオードで、青を基本にする６０個と、分を表す第１２の発光ダイオードで、緑を基本にする６０個と、１／５時又は１／６時を表す第１３の発光ダイオードで、赤を基本にする６０個とを含む。また、秒及び分を表す第２１の発光ダイオードで、秒のみが青及び分のみが���、あるいは秒及び分の青緑を基本にする６０個と、時、１／５時又は１／６時を表す第２２の発光ダイオードで、赤を基本にする１２個、６０個又は７２個とを含む。さらに、秒、分及び１／５時を表す第３の発光ダイオードで、秒のみが青、分のみが緑ならびに１／５時のみが赤、もしくは秒のみが青ならびに分及び１／５時が黄、分のみが緑ならびに１／５時及び秒が赤紫、あるいは１／５時のみが赤ならびに秒及び分が青緑、もしくは秒、分及び１／５時が白を基本にする６０個とを含む。その結果、３つの発光ダイオードと青、緑及び赤などで、又は２つの発光ダイオードと青、緑及び青緑ならびに赤などで、もしくは１つの発光ダイオードと青、緑、赤、青緑、黄、赤紫及び白などですることで、簡単にしかも分かりやすい時計を実現できるほか、腕時計及び目覚し時計などにも使用可能である。
【図面の簡単な説明】
【０１３０】
【図１】本発明が適用された腕時計Ａの実施例１−１を示す外観構造図
【図２】本発明が適用された腕時計Ｂの実施例１−２を示す外観構造図
【図３】本発明が適用された目覚し時計Ｃの実施例１−３を示す外観構造図
【図４】本発明が適用された腕時計Ｄの実施例２−１を示す外観構造図
【図５】本発明が適用された腕時計Ｅの実施例２−２を示す外観構造図
【図６】本発明が適用された目覚し時計Ｆの実施例２−３を示す外観構造図
【図７】本発明が適用された腕時計Ｇの実施例３−１を示す外観構造図
【図８】本発明が適用された目覚し時計Ｈの実施例３−２を示す外観構造図
【図９】本発明が適用された腕時計Ｉの実施例３−３を示す外観構造図
【符号の説明】
【０１３１】  Ａ……腕時計、ａ０，ａ１……ベルト具、ａ２……竜頭巻、ａ３……穴、ａ４００、ａ４０２ないしａ４１０……時刻用発光ダイオード、ａ５００〜ａ５５９，ａ６００〜ａ６５９，ａ７００〜ａ７５９……表示用発光ダイオード。  Ｂ……腕時計、ｂ０，ｂ１……ベルト具、ｂ２……竜頭巻、ｂ３……穴、ｂ４００、ｂ４０２ないしｂ４１０……時刻用発光ダイオード、ｂ５００〜ｂ５５９，ｂ７００〜ｂ７５９，ｂ９００〜ｂ９５９……表示用発光ダイオード、ｂ６００〜ｂ６５９，ｂ８００〜ｂ８５９，ｂＡ００〜ｂＡ５９……表示用発光カバー。  Ｃ……目覚し時計、ｃ０……スイッチ、ｃ１，ｃ２……台、ｃ３００〜ｃ３１１……時刻用発光ダイオード、ｃ４００〜ｃ４１１……時刻用発光カバー、ｃ５００〜ｃ５５９，ｃ７００〜ｃ７５９，ｃ９００〜ｃ９７１……表示用発光ダイオード、ｃ６００〜ｃ６５９，ｃ８００〜ｃ８５９……表示用発光カバー。  Ｄ……腕時計、ｄ０，ｄ１……ベルト具、ｄ２……竜頭巻、ｄ３……時刻用発光ダイオード、ｄ４００〜ｄ４５９，ｄ６００〜ｄ６１１……表示用発光ダイオード、ｄ５００〜ｄ５５９，ｄ７００〜ｄ７１１……表示用発光カバー。  Ｅ……腕時計、ｅ０，ｅ１……ベルト具、ｅ２……竜頭巻、ｅ３……穴、ｅ４００，ｅ４０２ないしｅ４１０……時刻用発光ダイオード、ｅ５００〜ｅ５５９，ｅ７００〜ｅ７５９……表示用発光ダイオード、ｅ６００〜ｅ６５９，ｅ８００〜ｅ８５９……表示用発光カバー。  Ｆ……目覚し時計、ｆ０……スイッチ、ｆ１，ｆ２……台、ｆ３００〜ｆ３１１［１］……時刻用発光ダイオード、ｆ４００〜ｆ４１１……時刻用発光カバー、ｆ５００〜ｆ５５９，ｆ７００〜ｆ７７１……表示用発光ダイオード、ｆ６００〜ｆ６５９……表示用発光カバー。  Ｇ……腕時計、ｇ０，ｇ１……ベルト具、ｇ２……竜頭巻、ｇ３……穴、ｇ４００，ｇ４０２〜ｇ４１０……時刻用発光ダイオード、ｇ５００〜ｇ５５９……表示用発光ダイオード、ｇ６００〜ｇ６５９……表示用発光カバー。  Ｈ……目覚し時計、ｈ０……スイッチ、ｈ１，ｈ２……台、ｈ３……穴、ｈ４００〜ｈ４１１……時刻用発光ダイオード、ｈ５００〜ｈ５１１……時刻用発光カバー、ｈ６００〜ｈ６５９……表示用発光ダイオード、ｈ７００〜ｈ７５９……表示用発光カバー。  Ｉ……腕時計、ｉ０，ｉ１……ベルト具、ｉ２，ｉ３……竜頭巻、ｉ４００，ｉ４０３ないしｉ４０９……時刻用発光ダイオード、ｉ５００〜ｉ５５９……表示用発光ダイオード、ｉ６００〜ｉ６５９……表示用発光カバー、ｉ７……年用液晶、ｉ８……月日用液晶、ｉ９……時分秒用液晶。
【手続補正３】
【補正対象書類名】図面
【補正対象項目名】全図
【補正方法】変更
【補正の内容】
【図１】
2007040776.tif 000001
【図２】
2007040776.tif 000002
【図３】
2007040776.tif 000003
【図４】
2007040776.tif 000004
【図５】
2007040776.tif 000005
【図６】
2007040776.tif 000006
【図７】
2007040776.tif 000007
【図８】
2007040776.tif 000008
【図９】
2007040776.tif 000009